(57)【要約】【課題】トラップ筒の下流側端部を上下に回転移動させる機構を備えた便器装置において、排水の際に臭気が上昇することを抑制する。【解決手段】便器装置は、トラップ筒２、トラップケース３、可動蓋５および支持機構を具備する。トラップ筒２は、排水口２２０が設けられた下流側端部２２を有する。トラップケース３内において、下流側端部２２は、封水位置Ｐ１とこれより下方の排水位置との間で回転移動される。可動蓋５は、支持機構によって移動自在に支持される。可動蓋５は、排水位置から封水位置Ｐ１に回転移動する途中の下流側端部２２が当たって動作し、下流側端部２２が封水位置Ｐ１に至ったときには排水口２２０を封止する位置に保持される。【選択図】図２
2018100565.tif 000002
【特許請求の範囲】
【請求項１】
排水管を有するボウル部と、
前記排水管に接続される上流側端部と、排水口が設けられた下流側端部とを有するトラップ筒と、
前記トラップ筒の少なくとも前記下流側端部が収容されるトラップケースと、
前記トラップケース内において、前記下流側端部を、前記ボウル部内に水を溜めるために設定された封水位置と、前記ボウル部内の水を排出するために前記封水位置よりも下方に設定された排水位置との間で回転移動させる駆動機構と、
前記排水口を封止するための可動蓋と、
前記トラップケース内で前記可動蓋を移動自在に支持する支持機構と、を具備し、
前記支持機構は、
前記可動蓋を、前記排水位置から前記封水位置に回転移動する前記下流側端部がその途中で当たり、これにより動作するように支持し、かつ、前記下流側端部が前記封水位置に至ったときに前記排水口を封止する位置に保持する機構である
ことを特徴とする便器装置。
【請求項２】
前記支持機構は、前記下流側端部が前記封水位置にあるときに、前記可動蓋を、前記排水口を封止する位置から退避可能に保持する機構である
ことを特徴とする請求項１に記載の便器装置。
【請求項３】
前記支持機構は、前記可動蓋を回転自在に支持し、前記下流側端部が前記封水位置にあるときに、前記可動蓋をその自重により前記排水口を封止する位置に保持する機構である
ことを特徴とする請求項２に記載の便器装置。
【請求項４】
前記可動蓋は、前記トラップケースの内面に当たることで前記可動蓋の回転範囲を規制するストッパーを有する
ことを特徴とする請求項３に記載の便器装置。
【請求項５】
前記支持機構は、前記下流側端部が前記封水位置にあるときに、前記可動蓋を、前記排水口を封止する位置に押し当てるバネを有する
ことを特徴とする請求項２に記載の便器装置。
【請求項６】
前記可動蓋は、凹曲面を有し、
前記支持機構は、前記下流側端部が前記封水位置にあるときに、前記凹曲面が前記排水口を塞ぐように前記可動蓋を保持する機構である
ことを特徴とする請求項１〜５のいずれか一項に記載の便器装置。
【発明の詳細な説明】
【技術分野】
【０００１】
本発明は、便器装置に関し、詳しくは、便器装置において排水の際に臭気が上昇することを抑制する技術に関する。
【背景技術】
【０００２】
排水管を有するボウル部と、この排水管に接続されたトラップ筒と、トラップ筒の下流側端部を上下に回転移動させる機構を備えた便器装置が、従来提案されている（たとえば特許文献１参照）。
【０００３】
この種の便器装置では、トラップ筒の下流側端部をその回転範囲内の上方位置で保持したときに、ボウル部内に水を溜めることができ、トラップ筒の下流側端部をその回転範囲内の下方位置で保持したときに、ボウル部内の水（および汚物）を排出することができる。
【先行技術文献】
【特許文献】
【０００４】
【特許文献１】特開２０１５−５９３６８号公報
【発明の概要】
【発明が解決しようとする課題】
【０００５】
従来の便器装置では、排水が完了した後、トラップ筒の下流側端部を上方に回転移動させ、ボウル部内に水が溜まるまでの間に、溜め水により悪臭の上昇を塞ぐ機能が失われる（つまり破封状態になる）タイミングが生じる。
【０００６】
本発明は、トラップ筒の下流側端部を上下に回転移動させる機構を備えた便器装置において、排水の際に臭気が上昇することを抑制することを目的とする。
【課題を解決するための手段】
【０００７】
本発明の一様態に係る便器装置は、排水管を有するボウル部と、前記排水管に接続される上流側端部と、排水口が設けられた下流側端部とを有するトラップ筒と、前記トラップ筒の少なくとも前記下流側端部が収容されるトラップケースと、前記トラップケース内において、前記下流側端部を、前記ボウル部内に水を溜めるために設定された封水位置と、前記ボウル部内の水を排出するために前記封水位置よりも下方に設定された排水位置との間で回転移動させる駆動機構と、前記排水口を封止するための可動蓋と、前記トラップケース内で前記可動蓋を移動自在に支持する支持機構と、を具備する。
【０００８】
前記支持機構は、前記可動蓋を、前記排水位置から前記封水位置に回転移動する前記下流側端部がその途中で当たり、これにより動作するように支持し、かつ、前記下流側端部が前記封水位置に至ったときに前記排水口を封止する位置に保持する機構である。
【発明の効果】
【０００９】
本発明は、トラップ筒の下流側端部を上下に回転移動させる機構を備えた便器装置において、排水の際に臭気が上昇することが抑制されるという効果を奏する。
【図面の簡単な説明】
【００１０】
【図１】図１は、実施形態１の便器装置を示す一部破断側面図である。
【図２】図２は、同上の便器装置が封水状態にあるときの要部を示す一部破断側面図である。
【図３】図３は、同上の便器装置が排水状態にあるときの要部を示す一部破断側面図である。
【図４】図４は、同上の便器装置の可動蓋と支持機構を示す斜視図である。
【図５】図５は、実施形態２の便器装置が封水状態にあるときの要部を示す一部破断側面図である。
【図６】図６は、同上の便器装置が排水状態にあるときの要部を示す一部破断側面図である。
【図７】図７は、同上の便器装置の可動蓋と支持機構を示す断面図である。
【発明を実施するための形態】
【００１１】
（実施形態１）
実施形態１の便器装置について、図１〜図４に基づいて説明する。以下の説明文中で用いる前後、左右等の各方向は、本実施形態の便器装置に着座した使用者を基準とした方向である。
【００１２】
図１に示すように、本実施形態の便器装置は、図中に想像線で示す便器本体９、便器本体９の前部に備えられたボウル部１、便器本体９の後部に備えられたトラップ筒２、トラップケース３、駆動機構４および可動蓋５を備える。
【００１３】
ボウル部１は、上方に開口した椀状の形状を有する。ボウル部１は、その下端部から後方に延長された排水管１５を備える。排水管１５は、後方に向けて開口している。
【００１４】
トラップ筒２は、その軸方向の両端部がともに開口した円筒状の可撓性部材である。トラップ筒２の一方の端部（前側の端部）が上流側端部２１であり、上流側端部２１とは反対側の端部（後方の端部）が下流側端部２２である。トラップ筒２の上流側端部２１は、排水管１５の後端部に連通接続されている。トラップ筒２の下流側端部２２は、トラップケース３内で開口する排水口２２０を有する。
【００１５】
トラップ筒２は、ゴム等の弾性材料を用いて、可撓性を有するように形成されている。トラップ筒２は、図１と図２に示すように下流側端部２２が上方（後ろ斜め上方）を向くように円弧状に曲がった封水姿勢と、図３に示すように下流側端部２２が下方（後ろ斜め下方）を向くように円弧状に曲がった排水姿勢との間で、変形自在である。
【００１６】
トラップ筒２が封水姿勢にあるとき、下流側端部２２は封水位置Ｐ１（図２参照）にあり、排水口２２０は上方（後ろ斜め上方）に向けて開口する。トラップ筒２が排水姿勢にあるとき、下流側端部２２は封水位置Ｐ１よりも下方の排水位置Ｐ２（図３参照）にあり、排水口２２０は下方（後ろ斜め下方）に向けて開口する。
【００１７】
駆動機構４は、駆動源であるモーター４２と、モーター４２により回転駆動されるアーム４４を備える。アーム４４の先端部は、トラップ筒２の下流側端部２２に対して機械的に接続されている。下流側端部２２は、アーム４４の回転に伴って上下に回転移動する。これにより、トラップ筒２の姿勢が、封水姿勢と排水姿勢の間で自在に切り替えられる。
【００１８】
トラップケース３は、トラップ筒２の少なくとも下流側端部２２を収容するように設けられている。アーム４４の回転に伴って、トラップ筒２の下流側端部２２はトラップケース３の内部空間を上下に回転移動する。
【００１９】
トラップ筒２が封水姿勢にあるときに、ボウル部１内に給水が行われると、ボウル部１の下部とこれに連通するトラップ筒２に、封水が形成される（図２参照）。この封水によって、トラップケース３とボウル部１の互いの内部空間は通気不能に遮断され、トラップケース３からボウル部１に臭気が上昇することが防止される。
【００２０】
ボウル部１とトラップ筒２に封水が形成された状態で、トラップ筒２を封水姿勢から排水姿勢に切り替えることで、ボウル部１に溜められた水や汚物は、排水姿勢にあるトラップ筒２の排水口２２０を通じて排出される。
【００２１】
以下においては、本実施形態の便器装置が備える可動蓋５と支持機構６について、詳しく説明する。
【００２２】
可動蓋５は、トラップケース３内においてトラップ筒２の排水口２２０を封止するために設けられた蓋である。支持機構６は、可動蓋５をトラップケース３内の所定範囲で移動自在に支持するための機構である（図４等参照）。
【００２３】
可動蓋５は、側面視円弧状に湾曲した凹曲面５１０を有する蓋本体５１と、蓋本体５１から一方向（本実施形態では後方）に延長された突片状のガイド５２を備える。凹曲面５１０は、排水口２２０を封止するための面である。ガイド５２は、回転移動する下流側端部２２が押し当たるように設けられており、この押し当たりにより、下流側端部２２の回転移動に連動して可動蓋５全体が動作するようになっている。
【００２４】
支持機構６は、可動蓋５を水平軸中心に回転自在に支持する機構である。図４に示すように、支持機構６は、蓋本体５１から延長された一対のアーム６１と、一対のアーム６１からそれぞれ突出する一対の支軸部６２と、一対の支軸部６２がそれぞれ回転自在に嵌るようにトラップケース３の内面３０に形成された一対の溝６３を備える。一対の溝６３は、トラップケース３の内面３０のなかでも、トラップケース３の天井部分を構成するドーム状のカバー３１の内面に形成されている。
【００２５】
可動蓋５の回転中心となる支軸部６２が設けられた一対のアーム６１は、可動蓋５の前部から下方（前斜め下方）に延長されている。可動蓋５の支軸部６２を中心とした回転動作に伴って、可動蓋５から後方に延長されたガイド５２の先端部が、最も大きな回転半径で上下に回転する。
【００２６】
本実施形態の便器装置では、トラップ筒２の下流側端部２２がその移動範囲のなかで最も高い封水位置Ｐ１にあるときに、可動蓋５の下方を向く凹曲面５１０が、排水口２２０を囲む縁部分に全周に亘って当接し、排水口２２０を封止するように設計されている。可動蓋５は、その自重によって排水口２２０を封止するので、オーバーフローが生じるときや異物が挟まったときに、可動蓋５は、図１と図２に示す回転位置よりもさらに上方の回転位置にまで退避し、排水口２２０の封止を解除するように動作する。
【００２７】
側面視において、下流側端部２２の排水口２２０を囲む縁部分は、トラップ筒２の回転中心（つまり駆動機構４のアーム４４の回転中心）を中心として描かれる円弧状の仮想線Ｌ１（図１参照）に沿った形状である。可動蓋５が排水口２２０を封止する状態において、可動蓋５の凹曲面５１０は、仮想線Ｌ１に沿って位置する。
【００２８】
したがって、仮にトラップ筒２の下流側端部２２が、設定された封水位置Ｐ１から多少ずれた位置にあるときでも、下流側端部２２の排水口２２０を囲む縁部分は、その全周に亘って凹曲面５１０に密着しやすくなっている。
【００２９】
本実施形態の便器装置では、上述したように、駆動機構４のアーム４４を下方に向けて回転させ、トラップ筒２の下流側端部２２を封水位置Ｐ１から排水位置Ｐ２にまで回転移動させることで、排水が行われる。
【００３０】
このとき、可動蓋５において下流側端部２２に接触する箇所は、蓋本体５１の下面である凹曲面５１０から、凹曲面５１０の後方に連続的に位置するガイド５２の下面５２０に移る。下流側端部２２が、ガイド５２の下面５２０に摺りながら回転移動することに伴って、可動蓋５は、ガイド５２側を徐々に下げるように回転する。
【００３１】
下流側端部２２が排水位置Ｐ２に至る前に、下流側端部２２は可動蓋５から離れ、可動蓋５を持ち上げなくなるが、可動蓋５の自重による回転動作は、可動蓋５のガイド５２がトラップケース３の内面３０に当たることにより停止する（図３参照）。つまり、本実施形態のガイド５２は、可動蓋５の回転移動を規制するストッパー５５を兼ねる。
【００３２】
本実施形態の便器装置において、トラップケース３の内面３０のうちストッパー５５が当たる部分は、滑らかな凸曲面状の部分であるが、たとえば平坦に設けられた部分、段状に設けられた部分、または凸状に設けられた部分であってもよい。
【００３３】
排水が完了すると、駆動機構４のアーム４４を上方に向けて回転させ、トラップ筒２の下流側端部２２を排水位置Ｐ２から封水位置Ｐ１にまで回転移動させ、ボウル部１内に水を溜めて封水を行う。
【００３４】
ここで、下流側端部２２が上方に回転移動する途中で、トラップケース３に引っ掛かることで所定姿勢に保持されていた可動蓋５に対して、下流側端部２２が下方から押し当たる。下流側端部２２は、支軸部６２を中心に可動蓋５を持ち上げながらさらに回転移動し、封水位置Ｐ１に至る。
【００３５】
より具体的には、下流側端部２２は、可動蓋５のガイド５２の下面５２０（ストッパー５５の下面５５０）にまず押し当たり、ガイド５２の下面５２０に摺りながら回転移動する。これに伴って、可動蓋５はガイド５２側を徐々に持ち上げるように回転動作する。下流側端部２２が封水位置Ｐ１に至れば、可動蓋５は、蓋本体５１の凹曲面５１０で下流側端部２２の排水口２２０を塞ぐ位置に、自重により保持される。
【００３６】
（実施形態２）
実施形態２の便器装置について、図５〜図７に基づいて説明する。なお、実施形態２の便器装置の構成のうち、実施形態１と同様の構成については、実施形態１と同一符号を付して詳しい説明を省略する。
【００３７】
本実施形態の便器装置は、実施形態１の便器装置と同様のボウル部１、トラップ筒２、トラップケース３および駆動機構４を備え、トラップ筒２の下流側端部２２を封水位置Ｐ１と排水位置Ｐ２の間で回転移動させる方式の便器装置である。
【００３８】
本実施形態の便器装置が備える可動蓋５および支持機構６は、実施形態１の便器装置とは異なり、蓋本体５１の自重に加えて、バネ６５（図７参照）が蓋本体５１に加える付勢力で、蓋本体５１を下流側端部２２に押し付けるように構成されている。
【００３９】
可動蓋５は、側面視円弧状に湾曲した凹曲面５１０を有する蓋本体５１と、蓋本体５１から後方に延長された突片状のガイド５２を備える。本実施形態のガイド５２は、実施形態１とは異なり、ストッパーを兼ねるように構成されていない。
【００４０】
支持機構６は、トラップケース３の天井部分の内面から下方（前斜め下方）に突出する支持柱６４と、支持柱６４と蓋本体５１の間に圧縮状態で組み込まれたバネ６５を含む。蓋本体５１は、支持柱６４に対して上下に往復動自在に連結され、かつ、蓋本体５１の往復動は所定範囲に収まるように機構的に規制されている。
【００４１】
本実施形態の便器装置においても、トラップ筒２の下流側端部２２が封水位置Ｐ１にあるときには、可動蓋５の下方を向く凹曲面５１０が、排水口２２０を囲む縁部分に全周に亘って当接し、排水口２２０を封止する。可動蓋５は、自重と共にバネ６５の付勢力を伴って排水口２２０を封止するが、オーバーフローが生じるときや異物が挟まったときには、可動蓋５は、図５に示す位置よりもさらに上方に退避し、排水口２２０の封止を解除するように構成されている。
【００４２】
本実施形態の便器装置では、トラップ筒２の下流側端部２２が封水位置Ｐ１から排水位置Ｐ２にまで回転移動する途中で、下流側端部２２が可動蓋５から離れる。排水を行う際に、可動蓋５は、その移動範囲のうち最も下方の位置で保持される（図６、図７参照）。
【００４３】
排水が完了すると、トラップ筒２の下流側端部２２が排水位置Ｐ２から封水位置Ｐ１にまで回転移動するが、その回転移動の途中で、可動蓋５のガイド５２の下面５２０に下流側端部２２が押し当たる。さらにガイド５２の下面５２０に摺りながら下流側端部２２が回転移動すると、これに伴って、可動蓋５は徐々に持ち上がるようにスライド動作する。下流側端部２２が封水位置Ｐ１に至った段階で、可動蓋５は、蓋本体５１の凹曲面５１０で下流側端部２２の排水口２２０を封止する位置に保持される。
【００４４】
（作用効果）
以上、添付図面に基づいて説明した実施形態１，２の便器装置は、ボウル部１、トラップ筒２、トラップケース３、駆動機構４、可動蓋５および支持機構６を具備する。
【００４５】
ボウル部１は、排水管１５を有する。トラップ筒２は、排水管１５に接続される上流側端部２１と、排水口２２０が設けられた下流側端部２２を有する。トラップケース３には、トラップ筒２の少なくとも下流側端部２２が収容される。駆動機構４は、トラップケース３内において、下流側端部２２を、ボウル部１内に水を溜めるために設定された封水位置Ｐ１と、ボウル部１内の水を排出するために封水位置Ｐ１よりも下方に設定された排水位置Ｐ２との間で回転移動させる。
【００４６】
可動蓋５は、排水口２２０を封止するための蓋である。支持機構６は、トラップケース３内で可動蓋５を移動自在に支持する機構である。
【００４７】
支持機構６は、可動蓋５を、排水位置Ｐ２から封水位置Ｐ１に回転移動する下流側端部２２がその途中で当たり、これにより動作するように支持し、かつ、下流側端部２２が封水位置Ｐ１に至ったときに排水口２２０を封止する位置に保持する機構である。
【００４８】
したがって、実施形態１，２の便器装置によれば、排水が完了した後、トラップ筒２の下流側端部２２が上方に回転移動し、ボウル部１内に水が溜められるまでの間に破封状態が生じても、可動蓋５が排水口２２０を封止することで悪臭の上昇が抑制される。
【００４９】
実施形態１，２の便器装置において、支持機構６は、下流側端部２２が封水位置Ｐ１にあるときに、可動蓋５を、排水口２２０を封止する位置から退避可能に保持する機構である。
【００５０】
したがって、実施形態１，２の便器装置によれば、可動蓋５が退避することにより排水口２２０からのオーバーフローを許容することができる。加えて、下流側端部２２と可動蓋５の間に紙、排便等の異物が挟まったときには、可動蓋５を退避させた状態に保ち、次回の排水時に異物を流すことができる。
【００５１】
実施形態１の便器装置において、支持機構６は、可動蓋５を回転自在に支持し、下流側端部２２が封水位置Ｐ１にあるときに、可動蓋５をその自重により排水口２２０を封止する位置に保持する機構である。
【００５２】
したがって、実施形態１の便器装置によれば、シンプルな構造で可動蓋５を円滑に移動させることができる。
【００５３】
実施形態１の便器装置において、可動蓋５は、トラップケース３の内面３０に当たることで可動蓋５の回転範囲を規制するストッパー５５を有する。
【００５４】
したがって、実施形態１の便器装置によれば、可動蓋５にストッパー５５を設けたシンプルな構造で、可動蓋５の回動範囲を好ましい範囲に設定することができる。
【００５５】
実施形態２の便器装置において、支持機構６は、下流側端部２２が封水位置Ｐ１にあるときに、可動蓋５を、排水口２２０を封止する位置に押し当てるバネ６５を有する。
【００５６】
したがって、実施形態２の便器装置によれば、可動蓋５を排水口２２０に押し付ける力を、バネ６５を用いて自在に設定することができる。なお、実施形態１の便器装置において、同様のバネ６５を備えることも可能である。
【００５７】
実施形態１，２の便器装置において、可動蓋５は、凹曲面５１０を有する。支持機構６は、下流側端部２２が封水位置Ｐ１にあるときに、凹曲面５１０が排水口２２０を塞ぐように可動蓋５を保持する機構である。
【００５８】
したがって、実施形態１，２の便器装置によれば、トラップ筒２の下流側端部２２が、設定された封水位置Ｐ１から多少ずれて位置しても、凹曲面５１０によって排水口２２０を封止し、悪臭の上昇を抑えることができる。
【００５９】
以上、各実施形態に基づいて便器装置を説明したが、便器装置の構成はこれらの実施形態に限定されず、各実施形態において適宜の設計変更を行うことや、各実施形態の構成を適宜組み合わせて適用することが可能である。
【符号の説明】
【００６０】
１  ボウル部
１５  排水管
２  トラップ筒
２１  上流側端部
２２  下流側端部
２２０  排水口
３  トラップケース
３０  内面
４  駆動機構
５  可動蓋
５１０  凹曲面
５５  ストッパー
６  支持機構
６５  バネ
Ｐ１  封水位置
Ｐ２  排水位置
【図１】
2018100565.tif 000003
【図２】
2018100565.tif 000004
【図３】
2018100565.tif 000005
【図４】
2018100565.tif 000006
【図５】
2018100565.tif 000007
【図６】
2018100565.tif 000008
【図７】
2018100565.tif 000009